(57)【要約】【課題】  玉受け面上の遊技球が有する力学的エネルギーを利用し特別な動力を要することなく遊技球に複雑で予測困難な動きを付与するとともに、玉受け面から流出する際には遊技球を安定した状態で落下させることによって、興趣を向上させることのできる遊技球誘導構造を提供する。【解決手段】  ステージ２０は、下方に凸となる弓形湾曲形状に形成されたローリングステージ２１と、ローリングステージ２１の下側に形成された左右一対の揺動軸部２２Ｌ，２２Ｒと、ローリングステージ２１の上側中央部に形成された排出通路部２３とを備えている。ローリングステージ２１、一対の揺動軸部２２Ｌ，２２Ｒ及び排出通路部２３は合成樹脂等で一体成形され、一対の揺動軸部２２Ｌ，２２Ｒが揺動可能に底枠３ｃに支持されている。【選択図】  図３
2007117208.tif 000002
【特許請求の範囲】
【請求項１】
遊技盤の盤面に沿う形で遊技球の流下方向と交差する方向を長手方向とし、前記盤面と交差する方向に所定の幅を有する玉受け面が形成された主体部と、
その主体部の長手方向の中間部であって前記玉受け面とは反対側において、前記盤面と交差する方向に配置された揺動軸線周りで前記主体部を回動可能に支持するとともに、長手方向に所定距離離間して設けられる一対の揺動支持部とを備え、
前記玉受け面上の遊技球が有する運動エネルギー及び／又は位置エネルギーに基づき、前記主体部が前記一対の揺動支持部を交互に揺動中心とする揺動運動を行うことを特徴とする遊技球誘導構造。
【請求項２】
遊技盤の盤面に沿う形で遊技球の流下方向である上下方向と交差する左右方向を長手方向とし、前記盤面と交差する前後方向に所定の幅を有する玉受け面が上面側に形成された主体部と、
その主体部の長手方向の中間部であって前記玉受け面とは反対側となる下面側において、前後方向に配置された揺動軸線周りで前記主体部を回動可能に支持するとともに、長手方向に所定距離離間して設けられ、前記主体部と一体的に形成される一対の揺動支持部と、
前記主体部の玉受け面上で長手方向に沿って往復動を繰り返した後の遊技球を前方側又は後方側から排出するために、前記玉受け面のうち前記一対の揺動支持部の間に位置する部分を排出案内面として含み、前記主体部と一体的に形成される排出部とを備え、
前記玉受け面上の遊技球が有する運動エネルギー及び／又は位置エネルギーに基づき、前記主体部が前記一対の揺動支持部を交互に揺動中心とする揺動運動を行うに伴い、前記主体部の玉受け面上で長手方向に沿って往復動を繰り返した後の遊技球が前記排出部の排出案内面から排出されることを特徴とする遊技球誘導構造。
【請求項３】
前記主体部の排出案内面は、前記玉受け面上で長手方向に沿って往復動を繰り返した後の遊技球が排出される側に向って低くなるように形成されている請求項２に記載の遊技球誘導構造。
【請求項４】
前記主体部の排出案内面及び玉受け面は、遊技球流入前の中立状態において、前後方向から見たとき、前記一対の揺動支持部の長手方向中央位置を基準として左右対称形状に形成されている請求項２又は３に記載の遊技球誘導構造。
【請求項５】
前記主体部の玉受け面には、幅方向における遊技球の排出側において、前記排出部を除く長手方向全体にわたり、長手方向中央位置側の前記排出案内面に向けて遊技球を案内するための案内壁が上面側に突出形成されている請求項２ないし４のいずれか１項に記載の遊技球誘導構造。
【請求項６】
前記玉受け面上の遊技球が有する運動エネルギー及び／又は位置エネルギーに基づき、前記主体部が前記一対の揺動支持部を交互に揺動中心とする揺動運動を行うにあたり、
遊技球が前記玉受け面の長手方向一端部側に位置するとき、前記主体部は、長手方向一端部側の揺動支持部を揺動中心とし、長手方向他端部側の揺動支持部が設置面よりも浮上するように回動する一方、
遊技球が前記玉受け面の長手方向他端部側に位置するとき、前記主体部は、長手方向他端部側の揺動支持部を揺動中心とし、長手方向一端部側の揺動支持部が設置面よりも浮上するように回動する請求項１ないし５のいずれか１項に記載の遊技球誘導構造。
【請求項７】
前記揺動支持部には、前記設置面側に形成される溝部に嵌まり込んだときに、その溝部と前記揺動軸線を共有する形で回動可能な揺動軸部が形成されている請求項６に記載の遊技球誘導構造。
【請求項８】
前記主体部が前記一対の揺動支持部を交互に揺動中心とする揺動運動を行うときに、外部に固定配置された規制部材に前記主体部及び／又は揺動支持部が接触することにより、当該主体部の揺動範囲が規制されている請求項１ないし７のいずれか１項に記載の遊技球誘導構造。
【請求項９】
前記主体部の玉受け面は、遊技球流入前の中立状態において、前記揺動軸線の方向から見たとき、長手方向中央位置側ほど低くなるように形成されている請求項１ないし８のいずれか１項に記載の遊技球誘導構造。
【請求項１０】
前記主体部の玉受け面は、揺動全範囲において、前記揺動軸線の方向から見たとき、その傾きが長手方向基準面に対して正負反転しないように形成されている請求項９に記載の遊技球誘導構造。
【発明の詳細な説明】
【技術分野】
【０００１】
本発明は、パチンコ機等の遊技機の遊技盤に配置され、一般にはステージやスロープと通称されることもある遊技球誘導構造に関する。
【背景技術】
【０００２】
従来より、遊技球自体の動きに変化を与えるために、遊技盤（具体的には、例えば盤面中央部の中央役物）にステージ又はスロープのような一種の遊技球誘導構造が配置されている。このようなステージには、盤面に沿う左右方向に長く形成され、盤面と交差する（例えば直交する）前後方向に所定の幅を有する床面（玉受け面）が形成されるとともに、床面に傾斜や段差をつけることによって長手方向（左右方向）の中央部が低くなるように形成されている。さらに、その中央部には、幅方向（前後方向）の前方（手前）側又は後方（奥）側に遊技球が流出する出口が設けられている。したがって、このようなステージの床面に流入した遊技球は、傾斜や段差によって長手方向の中央部に誘導案内され、その中央部で流動方向が幅方向に変化し前方側又は後方側から流出する。
【０００３】
そして、ステージの床面とは反対側（下側）に突出形成された支点部を、支持枠に形成された支持部で保持し、ステージをシーソー状に揺動させることによって、遊技球の動きを複雑にして興趣を高める技術も開示されている（特許文献１参照）。
【０００４】
【特許文献１】特開２００１−１４９５４７号公報
【０００５】
ところが、特許文献１に示すものでは、遊技球が床面に載っているときには常に、ステージは支点部（支持部）を中心に揺れを生じることになり、揺れが収束する前に遊技球はステージの出口（排出部）から排出される（流出する）。つまり、遊技球は長手方向への揺れ（移動）を伴いながらステージ（中央役物）から落下することになる。したがって、例えば中央役物の直下にスタートチャッカー（始動入賞口）が配置されている場合に、ステージから排出された遊技球のスタートチャッカーへの入賞確率が低くなり、遊技球の動きを複雑にすることで折角高められた興趣が失われてしまうおそれがある。
【発明の開示】
【発明が解決しようとする課題】
【０００６】
本発明の課題は、玉受け面上の遊技球が有する力学的エネルギーを利用し特別な動力を要することなく遊技球に複雑で予測困難な動きを付与するとともに、玉受け面から流出する際には遊技球を安定した状態で落下させることによって、興趣を向上させることのできる遊技球誘導構造を提供することにある。
【課題を解決するための手段及び発明の効果】
【０００７】
上記課題を解決するために、本発明の遊技球誘導構造は、
遊技盤の盤面に沿う形で遊技球の流下方向と交差する方向を長手方向とし、前記盤面と交差する方向に所定の幅を有する玉受け面が形成された主体部と、
その主体部の長手方向の中間部であって前記玉受け面とは反対側において、前記盤面と交差する方向に配置された揺動軸線周りで前記主体部を回動可能に支持するとともに、長手方向に所定距離離間して設けられる一対の揺動支持部とを備え、
前記玉受け面上の遊技球が有する運動エネルギー及び／又は位置エネルギーに基づき、前記主体部が前記一対の揺動支持部を交互に揺動中心とする揺動運動を行うことを特徴とする。
【０００８】
このように、主体部の玉受け面は、その面上の遊技球が有する力学的エネルギー（運動エネルギー及び／又は位置エネルギー）に基づいて、一対の揺動支持部を交互に揺動中心とする揺動運動を行う。つまり、玉受け面を流動する遊技球の動きに、玉受け面の揺動運動が加わることによって、遊技球は複雑で予測困難な動きを呈するようになるので、従来のステージ（又はスロープ）にはない楽しみが付与され、興趣を向上させることができる。しかも、主体部（玉受け面）の揺動運動は遊技球が有する力学的エネルギーによって産み出され、主体部を作動させるための特別な動力を要しないので、簡素で安価な構造とすることができる。また、電動モータ等の駆動源を用いないので、例えば主体部の揺動範囲は一様に定まらず、遊技球が玉受け面に流入して（導入されて）から流出する（排出される）までの動きは遊技球１球毎に異なるようになって、一層複雑で予測困難となる。
【０００９】
さらに、一対の揺動支持部で主体部を回動可能に支持しているので、主体部は一対の揺動支持部を交互に揺動中心として、擬似的な（あるいは複合的な）シーソー状の揺動運動を行う。このため、単一の揺動支持部で主体部を回動可能に支持してシーソー状の揺動運動を行う場合（例えば特許文献１）に比べて主体部の揺動運動が収束しやすくなり、遊技球は長手方向への揺れ（移動）が収束してから主体部（玉受け面）外へ流出する（排出される）ことができる。したがって、例えば直下にスタートチャッカー（始動入賞口）が配置されている場合に、主体部から排出された遊技球は安定した状態でほぼ真下に落下するので、スタートチャッカーへの入賞確率が高くなり、遊技球の動きが複雑化されたことと相まって興趣を一層高めることができる。
【００１０】
なお、「流下方向」は、遊技盤の盤面に上下方向（例えば鉛直方向）からわずかな高低差をつけた水平方向まで所定の勾配を設けることにより、設定することができる。また、「盤面と交差する方向」（例えば直交する方向）から遊技者が対面することができる。
【００１１】
また、上記課題を解決するために、本発明の遊技球誘導構造は、
遊技盤の盤面に沿う形で遊技球の流下方向である上下方向と交差する左右方向を長手方向とし、前記盤面と交差する前後方向に所定の幅を有する玉受け面が上面側に形成された主体部と、
その主体部の長手方向の中間部であって前記玉受け面とは反対側となる下面側において、前後方向に配置された揺動軸線周りで前記主体部を回動可能に支持するとともに、長手方向に所定距離離間して設けられ、前記主体部と一体的に形成される一対の揺動支持部と、
前記主体部の玉受け面上で長手方向に沿って往復動を繰り返した後の遊技球を前方側又は後方側から排出するために、前記玉受け面のうち前記一対の揺動支持部の間に位置する部分を排出案内面として含み、前記主体部と一体的に形成される排出部とを備え、
前記玉受け面上の遊技球が有する運動エネルギー及び／又は位置エネルギーに基づき、前記主体部が前記一対の揺動支持部を交互に揺動中心とする揺動運動を行うに伴い、前記主体部の玉受け面上で長手方向に沿って往復動を繰り返した後の遊技球が前記排出部の排出案内面から排出されることを特徴とする。
【００１２】
上記遊技球誘導構造においても、一対の揺動支持部で主体部を回動可能に支持しているので、主体部は一対の揺動支持部を交互に揺動中心とする揺動運動（擬似的シーソー運動）を行う。このため、単一の揺動支持部で主体部を回動可能に支持して揺動運動（シーソー運動）を行う場合に比べて主体部の揺動運動が収束しやすくなり、遊技球は長手方向への揺れが収束してから主体部外へ流出する。その際、玉受け面のうち一対の揺動支持部の間に位置する部分を排出案内面に形成して、主体部の玉受け面上で長手方向に沿って往復動を繰り返した後の遊技球を排出するための排出部を設けているので、排出部から排出された遊技球はさらに安定した状態でほぼ真下に落下する。これによって、例えば排出部から排出される遊技球のスタートチャッカーへの入賞確率がますます高くなり、遊技者の興趣もさらに高まる。また、一対の揺動支持部と排出部とはいずれも主体部と一体的に形成されているので、樹脂の一体成形等により製造が容易であり、遊技球の衝突や揺動運動の繰り返しに対して耐久性が高められる。
【００１３】
なお、「上下方向」には、鉛直方向の他に斜め上下方向も含まれる。同様に、「左右方向」には、水平方向の他に斜め左右方向も含まれる。
【００１４】
ところで、主体部の排出案内面は、玉受け面上で長手方向に沿って往復動を繰り返した後の遊技球が排出される側（前方側又は後方側）に向って低くなるように形成されていることが望ましい。このように、遊技球排出側（すなわち前方側又は後方側）に向って主体部の排出案内面を低く形成することによって、遊技球は排出案内面（排出部）から円滑に排出されるとともに、一層安定した状態で真下へ落下する。したがって、排出部から排出される遊技球のスタートチャッカーへの入賞確率等がさらに高められる。
【００１５】
また、主体部の排出案内面及び玉受け面は、遊技球流入前の中立状態において、前後方向から見たとき、一対の揺動支持部の長手方向中央位置を基準として左右対称形状に形成されていることが望ましい。これによって、主体部の揺動運動自体が安定化し、排出案内面（排出部）からの遊技球の排出もより円滑になる。
【００１６】
さらに、主体部の玉受け面には、幅方向における遊技球の排出側において、排出部を除く長手方向全体にわたり、長手方向中央位置側の排出案内面に向けて遊技球を案内するための案内壁を上面側に突出形成してもよい。このような案内壁を設けることによって、主体部が揺動運動する際に、玉受け面上の遊技球を排出部以外の部分から落下しないように案内壁で案内しながら、確実に排出案内面上に誘導できる。したがって、排出案内面（排出部）からの遊技球の排出がさらに円滑になり、上記した入賞確率等も向上する。
【００１７】
このような遊技球誘導構造によれば、
玉受け面上の遊技球が有する運動エネルギー及び／又は位置エネルギーに基づき、主体部が一対の揺動支持部を交互に揺動中心とする揺動運動を行うにあたり、
遊技球が玉受け面の長手方向一端部側に位置するとき、主体部は、長手方向一端部側の揺動支持部を揺動中心とし、長手方向他端部側の揺動支持部が設置面よりも浮上するように回動する一方、
遊技球が玉受け面の長手方向他端部側に位置するとき、主体部は、長手方向他端部側の揺動支持部を揺動中心とし、長手方向一端部側の揺動支持部が設置面よりも浮上するように回動することができる。
【００１８】
すなわち、主体部が一対の揺動支持部を交互に揺動中心とする揺動運動を行う際に、遊技球が位置している側の揺動支持部が揺動中心となり、反対側の揺動支持部が浮き上がるように回動する動作が交互に繰り返される。このように、主体部を一対の揺動支持部で回動可能に支持しているために、玉受け面上の遊技球によって、揺動支持部はあたかも両足を交互に踏みしめるように作動し、主体部は擬似的なシーソー運動を行う。これによって、玉受け面上の遊技球は、長手方向両端部間を円滑に往復移動できるようになり、遊技者の興趣を向上させることができる。
【００１９】
その具体例として、揺動支持部には、設置面側に形成される溝部に嵌まり込んだときに、その溝部と揺動軸線を共有する形で回動可能な揺動軸部を形成しておくことができる。揺動支持部が揺動中心となるときには、揺動軸部が溝部に嵌まり込んで回動可能となり、揺動支持部が浮き上がるように回動するときには、揺動軸部が溝部から抜け出しやすいので、主体部の揺動運動及び遊技球の往復動が円滑に行える。
【００２０】
そして、主体部が一対の揺動支持部を交互に揺動中心とする揺動運動を行うときに、外部に固定配置された規制部材に主体部及び／又は揺動支持部が接触することにより、主体部の揺動範囲を規制するようにしてもよい。主体部の揺動範囲を規制する規制部材を設けることによって、主体部が揺動して玉受け面が傾いたときに、玉受け面上の遊技球がその玉受け面の長手方向両端からこぼれ出て詰まりを生じたりすることを防止できる。しかも、流入してきた遊技球の運動エネルギーが大きかったり、設置面等に外力（振動）が加わったりしたときでも、玉受け面からの遊技球のこぼれを防止できる。
【００２１】
以上のような遊技球誘導構造では、主体部の玉受け面は、遊技球流入前の中立状態において、揺動軸線の方向から見たとき、長手方向中央位置側ほど低くなるように形成されていることが望ましい。このように、主体部の玉受け面を長手方向中央位置側ほど低く（例えば下向き凸形状に）形成することによって、玉受け面上の遊技球は、低位となる中央位置を挟んで長手方向両端部間を容易に往復動することができる。なお、主体部の玉受け面は、連続的又は断続的な傾きを有するように形成することができる。また、主体部の玉受け面は、平面的（断面で直線的）又は曲面的（断面で曲線的）な傾きを有するように形成することができる。
【００２２】
具体的には、主体部の玉受け面は、揺動全範囲において、揺動軸線の方向から見たとき、その傾きが長手方向基準面に対して正負反転しないように形成できる。このように、玉受け面の傾きが長手方向基準面（例えば水平面）に対して正負反転しないように形成すれば、主体部が揺動しても玉受け面の傾きは大きく変動しない。したがって、玉受け面上の遊技球がその玉受け面の長手方向両端からこぼれ出て詰まりを生じたりすることを防止できる。
【００２３】
さらに、一対の揺動支持部の長手方向の離間距離をＬ１とし、主体部の長手方向の寸法をＬ２としたとき、Ｌ２／１０≦Ｌ１≦Ｌ２／２を満足するように構成することができる。このように、一対の揺動支持部の離間距離Ｌ１が主体部の長さ（長手方向の寸法）Ｌ２の１０〜５０％となるように構成することによって、主体部（遊技球誘導構造）は、排出案内面及び玉受け面の長手方向寸法がそれぞれ十分に確保でき、振動等の少ない安定した揺動運動ができるようになる。具体的には、玉受け面では遊技球に複雑で予測困難な動きを付与することができ、排出案内面では遊技球を安定した状態で排出・落下させることができる。
【００２４】
なお、一対の揺動支持部の離間距離Ｌ１が主体部の長さＬ２の１０％未満となる場合には、主体部の揺動運動が不安定となったり、排出案内面が遊技球を通過・排出させるための長手方向寸法を確保できなくなるおそれがある。一方、一対の揺動支持部の離間距離Ｌ１が主体部の長さＬ２の５０％超となる場合には、主体部の揺動範囲（揺動支持部の回動角）が小さくなって遊技球の動きに興趣を欠いたり、玉受け面に遊技球を流入する位置が制約を受けたりするおそれがある。
【発明を実施するための最良の形態】
【００２５】
（実施例１）
以下、本発明の実施の形態を図面を参照しつつ説明する。図１は本発明に係る遊技球誘導構造を備えたパチンコ機の一例を示す正面図、図２はその遊技球誘導構造を含むステージ部の一例を示す斜視図、図３は図２の平面図、要部正面図及びＡ−Ａ断面図である。図１に示すように、パチンコ機１００（遊技機）の遊技盤１０１の前面（以下、盤面という）１０１ａには、ほぼ左半周が内外２本の発射レール１０２によって区画され、全体としてほぼ円形の遊技領域１０３が形成されている。
【００２６】
盤面１０１ａ（遊技領域１０３）のほぼ中央には、手前側（遊技者側）に開口する箱状の中央役物１（役物装置）が配設されている。この中央役物１は、箱型の下部（下辺）及び左右の側部（側辺）を構成する本体枠２ａと、その上部（上辺）を構成する屋根状の上部枠２ｂとを有する。本体枠２ａ内の下部には床状のステージ部３が載置され、本体枠２ａ内の左右側部内面には上部枠２ｂとステージ部３とを連結する形で通路状のワープ部４Ｌ，４Ｒ（遊技球案内通路）が形成されている。そして、中央役物１の内側奥部（盤面１０１ａ側）には、複数（例えば３桁）の図柄表示領域を有する特別図柄表示部１０８が備えられている。一方、上部枠２ｂの中央頂部には、１又は複数（例えば２個）の図柄表示領域を有する普通図柄表示部１０７が備えられている。なお、ワープ部４Ｌ，４Ｒの上部又は中間部には、遊技領域１０３内を流下する遊技球を取り入れるためのワープ入口（図示せず）がそれぞれ開口している。また、ワープ部４Ｌ，４Ｒの下端部には、内部通路を流下した遊技球をステージ部３に向けて放出するためのワープ出口（図示せず）がそれぞれ開口している。
【００２７】
中央役物１の下方には、狭く開口し入賞困難な第一状態（閉鎖状態）と広く開口し入賞容易な第二状態（開放状態）とに開口態様が変化する一対の回動翼片１０５ａ，１０５ａを有し、入賞に基づき特別図柄表示部１０８の図柄変動表示をスタートさせるスタートチャッカー１０５（始動入賞口）が配置されている。さらにその下方には、特別図柄表示部１０８が所定の図柄（例えば、「７７７」等の３桁のゾロ目）に揃ったときに開口するアタッカー１０６（大入賞口）が配置されている。また、中央役物１の左右斜め下方でスタートチャッカー１０５の左右には、入球（ゲート通過）に基づき普通図柄表示部１０７に所定の図柄（例えば〇×等）の変動表示をスタートさせるゲート状のスルーチャッカー１０４，１０４（通過ゲート）がそれぞれ配置されている。
【００２８】
なお、本実施例において、上下方向とは遊技盤１０１の盤面１０１ａに沿う形で遊技球が流下する方向（例えば鉛直方向）を意味する。また、左右方向とは盤面１０１ａに沿う形で上下方向と交差する方向（例えば水平方向）を意味し、遊技者側から見て左側、右側をいう。さらに、前後方向とは盤面１０１ａと交差（例えば直交）する方向を意味し、前方側（手前側）が遊技者側、後方側（奥側）が盤面１０１ａ側となる。
【００２９】
図２に示すように、中央役物１のステージ部３は、盤面１０１ａに固定される後方枠３ｂと、その後方枠３ｂに底枠３ｃを介して固定された前方枠３ａと、それら前後の枠３ａ，３ｂに固定された左側支持枠３ｄ，右側支持枠３ｅとによって、枠組構成されている。その枠組構成されたステージ部３の内部には、ステージ２０（遊技球誘導構造）が取り付けられている。
【００３０】
図３に示すように、ステージ２０は、下方に凸となる弓形湾曲形状に形成されたローリングステージ２１（主体部）と、ローリングステージ２１の下側に形成された左右一対の揺動軸部２２Ｌ，２２Ｒ（揺動支持部）と、ローリングステージ２１の上側中央部に形成された排出通路部２３（排出部）とを備えている。ローリングステージ２１、一対の揺動軸部２２Ｌ，２２Ｒ及び排出通路部２３は合成樹脂等で一体成形され、一対の揺動軸部２２Ｌ，２２Ｒが揺動可能に底枠３ｃに支持されている。
【００３１】
ローリングステージ２１の上面側は、左右方向を長手方向とし、前後方向に所定の幅を有し、遊技球Ｂが左右方向に転動しながら揺動する玉受け面２１ａに形成されている。この玉受け面２１ａは、遊技球Ｂがローリングステージ２１に載っていない中立状態において、正面視で長手方向中央位置側ほど低くなるように、連続的な曲面状の傾きにより下向き凸の左右対称湾曲形状に形成されている（図３（ｂ）参照）。なお、ローリングステージ２１の玉受け面２１ａは、前後方向に対しては、長手方向全体にわたり水平状となるように配設されている（図３（ｃ）参照）。
【００３２】
一対の揺動軸部２２Ｌ，２２Ｒは、ローリングステージ２１（玉受け面２１ａ）の長手方向中間部において、長手方向に所定距離Ｌ１離間して前後方向に配置され、各々の揺動軸線ＯＬ，ＯＲ周りでステージ２０全体を回動可能に支持する。この一対の揺動軸部２２Ｌ，２２Ｒの離間距離Ｌ１は、ローリングステージ２１（玉受け面２１ａ）の長手方向寸法Ｌ２に対して１０％〜５０％の範囲内（例えば２０％）に設けられている。これによって、一対の揺動軸部２２Ｌ，２２Ｒ（揺動軸線ＯＬ，ＯＲ）を交互に揺動中心とする揺動運動（すなわち擬似的なシーソー運動）が、振動、騒音等の少ない安定した状態で行われる。
【００３３】
具体的には、図６（ａ）に示すように、底枠３ｃの上面側には、前後方向（ローリングステージ２１の幅方向）に沿って左右一対の突出部３ｈ１，３ｈ２が設けられ、各突出部３ｈ１，３ｈ２には前後方向に沿って上方側に開口する円弧状の溝部３ｉ１，３ｉ２がそれぞれ形成されている。図３（ｃ）に示すように、一対の揺動軸部２２Ｌ，２２Ｒは、ローリングステージ２１の下部において前後方向に円柱状にそれぞれ突出形成されている。図６（ａ）に示す中立状態において、左側の揺動軸部２２Ｌは左側揺動軸線ＯＬを共有する形で左側の溝部３ｉ１に嵌まり込み、右側の揺動軸部２２Ｒは右側揺動軸線ＯＲを共有する形で右側の溝部３ｉ２に嵌まり込む。
【００３４】
したがって、図３〜図６に示すように、ローリングステージ２１は、玉受け面２１ａ上の遊技球Ｂが有する力学的エネルギー（運動エネルギー及び位置エネルギー）に基づいて、一対の揺動軸部２２Ｌ，２２Ｒを交互に揺動中心とする揺動運動を行う。
【００３５】
例えば、図３及び図６（ａ）のような中立状態において、遊技球Ｂが玉受け面２１ａの右端部側（右側揺動軸線ＯＲよりも外側）に位置すると、図４及び図６（ｂ）のように、ローリングステージ２１は、右側揺動軸部２２Ｒ（右側揺動軸線ＯＲ）を揺動中心として、左側揺動軸部２２Ｌが左側の溝部３ｉ１よりも浮上するように回動する。一方、遊技球Ｂが玉受け面２１ａの左端部側（左側揺動軸線ＯＬよりも外側）に位置すると、図５及び図６（ｃ）のように、ローリングステージ２１は、左側揺動軸部２２Ｌ（左側揺動軸線ＯＬ）を揺動中心として、右側揺動軸部２２Ｒが右側の溝部３ｉ２よりも浮上するように回動する。
【００３６】
このように、一対の揺動軸部２２Ｌ，２２Ｒはあたかも両足を交互に踏みしめるように（又は地団駄を踏むように、若しくは相撲の四股を踏むように）作動し、ローリングステージ２１は擬似的なシーソー運動を行う。これによって、玉受け面２１ａ上の遊技球Ｂは、長手方向両端部間を円滑に往復移動できるようになり、遊技者の興趣を向上させることができる。しかも、一対の揺動軸部２２Ｌ，２２Ｒを有することにより、単一のシーソー支点で構成する場合に比べて、ローリングステージ２１（ひいては遊技球Ｂ）の揺動運動が早く収束しやすいので、玉受け面２１ａ上の遊技球Ｂを安定した軌道で外部へ排出できる。
【００３７】
図３（ｂ）及び図６（ａ）に示す中立状態において、前方枠３ａ及び後方枠３ｂには、右側揺動軸線ＯＲを中心とする半径Ｌ１の円弧状の長孔３ｊ１（規制部材）と、左側揺動軸線ＯＬを中心とする半径Ｌ１の円弧状の長孔３ｊ２（規制部材）とがそれぞれ形成されている。各長孔３ｊ１，３ｊ２には、一対の揺動軸部２２Ｌ，２２Ｒの前後端部がそれぞれ挿通されている。
【００３８】
したがって、ローリングステージ２１が一対の揺動軸部２２Ｌ，２２Ｒを交互に揺動中心とする揺動運動を行うとき、前後枠３ａ，３ｂに形成された長孔３ｊ１，３ｊ２の内縁に揺動軸部２２Ｌ，２２Ｒが接触（接当）して揺動停止する。このように、長孔３ｊ１，３ｊ２と揺動軸部２２Ｌ，２２Ｒとが接当して、ローリングステージ２１の揺動範囲が規制されている。
【００３９】
具体的には、右側揺動軸部２２Ｒ（右側揺動軸線ＯＲ）を揺動中心として、左側揺動軸部２２Ｌが左側の溝部３ｉ１よりも浮上するように回動するときには、左側揺動軸部２２Ｌが左側の長孔３ｊ１の上縁に接当する（図４及び図６（ｂ））。他方、左側揺動軸部２２Ｌ（左側揺動軸線ＯＬ）を揺動中心として、右側揺動軸部２２Ｒが右側の溝部３ｉ２よりも浮上するように回動するときには、右側揺動軸部２２Ｒが右側の長孔３ｊ２の上縁に接当する（図５及び図６（ｃ））。
【００４０】
ところで、図３（ｂ）に示す中立状態において、左側支持枠３ｄには、ローリングステージ２１の左側端部を上下に挟む形態で、ストッパ３ｋ１（規制部材）が突出形成されている。また、右側支持枠３ｅにも、ローリングステージ２１の右側端部を上下に挟む形態で、ストッパ３ｋ２（規制部材）が突出形成されている。
【００４１】
したがって、ローリングステージ２１が一対の揺動軸部２２Ｌ，２２Ｒを交互に揺動中心とする揺動運動を行うとき、支持枠３ｄ，３ｅに形成されたストッパ３ｋ１，３ｋ２にローリングステージ２１の端部が接触（接当）して揺動停止することにより、ローリングステージ２１の揺動範囲が規制されている。
【００４２】
具体的には、右側揺動軸部２２Ｒ（右側揺動軸線ＯＲ）を揺動中心として、左側揺動軸部２２Ｌが左側の溝部３ｉ１よりも浮上するように回動するときには、ローリングステージ２１の左側端部が左側の上方ストッパ３ｋ１に接当するか、又は右側端部が右側の下方ストッパ３ｋ２に接当する（図４参照）。他方、左側揺動軸部２２Ｌ（左側揺動軸線ＯＬ）を揺動中心として、右側揺動軸部２２Ｒが右側の溝部３ｉ２よりも浮上するように回動するときには、ローリングステージ２１の右側端部が右側の上方ストッパ３ｋ２に接当するか、又は左側端部が左側の下方ストッパ３ｋ１に接当する（図５参照）。
【００４３】
なお、揺動軸部２２Ｌ，２２Ｒと長孔３ｊ１，３ｊ２との接当と、ローリングステージ２１とストッパ３ｋ１，３ｋ２との接当とは、ローリングステージ２１の揺動に対して同時に発生するように設定する。ただし、予め２つの接当位置をオフセットさせて（ずらせて）おき、規制部材として長孔３ｊ１，３ｊ２とストッパ３ｋ１，３ｋ２とのいずれを使用するかをローリングステージ２１の形状や大きさに応じて定めてもよい。
【００４４】
いずれにしても、図３〜図６に表わされるように、これらの規制部材によって、ローリングステージ２１の玉受け面２１ａは、揺動全範囲において、その傾きが水平面（長手方向基準面）に対して正負反転しないように形成されていることが望ましい。これによって、ローリングステージ２１が揺動しても玉受け面２１ａの傾きは大きく変動しないから、玉受け面２１ａ上の遊技球Ｂがその玉受け面２１ａの長手方向両端からこぼれ出て詰まりを生じたりすることを防止できる。
【００４５】
図２に戻り、排出通路部２３は、玉受け面２１ａのうち一対の揺動軸部２２Ｌ，２２Ｒの間に位置する部分を排出案内面２３ａとして含む。排出案内面２３ａは、ローリングステージ２１の玉受け面２１ａ上で長手方向に沿って往復動を繰り返した後の遊技球Ｂが円滑に排出されるように、前方側に向って徐々に（連続的に）低くなるように形成されている。
【００４６】
図３に示すように、ローリングステージ２１の玉受け面２１ａには、前方の排出側において、排出通路部２３（排出案内面２３ａ）を除く長手方向全体にわたり、案内壁２１ｂが垂直状に起立形成されている。この案内壁２１ｂは、玉受け面２１ａ上の遊技球Ｂを、長手方向中央位置側の排出案内面２３ａに向けて案内する。また、図３（ｂ）に示すように、ローリングステージ２１（玉受け面２１ａ及び排出案内面２３ａ）は、遊技球Ｂ流入前の中立状態において、一対の揺動軸部２２Ｌ，２２Ｒの長手方向中央位置を基準として左右対称形状に形成されている。
【００４７】
再び図２に戻り、前方枠３ａには、排出案内面２３ａと対応する位置に、玉排出口３ｆが切欠き状に形成されている。玉排出口３ｆは、スタートチャッカー１０５（回動翼片１０５ａ，１０５ａ）の真上に位置している（図１参照）ので、玉排出口３ｆから排出された遊技球Ｂは、スタートチャッカー１０５に入賞しやすくなる。なお、左右の支持枠３ｄ，３ｅは左右方向の中央側に開口する樋状形態を有し、その内面がローリングステージ２１の玉受け面２１ａに遊技球Ｂを導入案内するための導入案内面３ｄ’，３ｅ’に形成されている。
【００４８】
ここで、図１を用いて、パチンコ機１００における遊技の流れ（遊技盤１０１上の遊技状態の変化）について概要を説明する。遊技球がスルーチャッカー１０４，１０４をゲート通過すると、遊技盤１０１は普通入賞状態となり、普通図柄表示部１０７が変動表示（例えば〇×表示を各別に照射するランプを交互に点灯する等）した後停止する。このとき、停止図柄が外れ（例えば×のランプ表示）の場合には普通入賞状態はそのまま終了するが、停止図柄が当たり（例えば〇のランプ表示）の場合には、スタートチャッカー１０５の回動翼片１０５ａ，１０５ａが所定時間（例えば０．５秒間）にわたり開放状態（上記第二状態）となる。
【００４９】
遊技球がスタートチャッカー１０５に入賞すると、乱数を用いた当否判定（抽選）が行われる。この当否判定において大当たり判定がなされると、特別図柄表示部１０８の３桁の図柄が変動表示した後所定の順序で停止表示し、停止図柄が一列状に所定の同一図柄（例えば、「７７７」のゾロ目）で揃って「大当たり状態（特別遊技状態）」となる。すると、アタッカー１０６が開き、遊技球がきわめて入り易い状況をもたらす。そして、アタッカー１０６に所定数（例えば１０個）の入賞又は所定時間（例えば３０秒間）の経過によってアタッカー１０６は一旦閉じられるが、その間にアタッカー１０６内の特定領域（図示せず）に入賞すると、再びアタッカー１０６が開いて入賞し易くする。このようなアタッカー１０６の開閉は予め決められたラウンド回数（例えば最高１６回）まで繰り返されるので、このような大当たり状態の間に遊技者は多数の賞球を得ることができる。
【００５０】
ところで、上記した遊技中において、スタートチャッカー１０５の回動翼片１０５ａ，１０５ａが閉鎖状態（第一状態）のままであるか開放状態（第二状態）に態様変化したかにかかわらず、遊技球Ｂは、中央役物１のワープ部４Ｌ，４Ｒから導入案内面３ｄ’，３ｅ’を通り、ステージ２０（ローリングステージ２１）の玉受け面２１ａに流入することができる（図２参照）。このような遊技球Ｂは、既述の通り、玉受け面２１ａ上で長手方向に沿って往復動を繰り返した後排出案内面２３ａから前方側へ排出され、前方枠３ａの玉排出口３ｆを経て排出される場合がある（図２参照）。このように、ステージ部３の玉排出口３ｆから排出される遊技球Ｂは、真下に位置する回動翼片１０５ａ，１０５ａが閉鎖状態であっても、スタートチャッカー１０５への入賞確率がきわめて高くなるので、当否抽選回数を増やすことができる。
【００５１】
（実施例２）
図７は本発明に係る遊技球誘導構造を含むステージ部の他の例を示す斜視図である。図７に示すステージ部３の内部には、上段ステージ１１０と下段ステージ１２０（遊技球誘導構造）とが各々取り付けられている。
【００５２】
このうち、上段ステージ１１０は、左右の支持枠３ｄ，３ｅに固定された前後方向の第一回動軸１１３Ｌ，１１３Ｒ（第一軸線Ｏ１，Ｏ１）周りで上端部が回動可能に保持された左右一対の回動アーム１１１Ｌ，１１１Ｒ（回動体）と、各回動アーム１１１Ｌ，１１１Ｒの下端部に固定された前後方向の第二回動軸１１４Ｌ，１１４Ｒ（第二軸線Ｏ２，Ｏ２）周りで左右の各端部が回動可能に保持されたスイングステージ１１２（揺動体）とを備えている。一対の回動アーム１１１Ｌ，１１１Ｒは、上端部において第一軸線Ｏ１，Ｏ１が左右方向に距離Ｌ１１離間し、かつ下端部において第二軸線Ｏ２，Ｏ２が左右方向に距離Ｌ１２離間して配置され、遊技球Ｂ１がスイングステージ１１２に載っていない中立状態では、それぞれ下側に垂下した形態で静止する（図８（ｂ）参照）。
【００５３】
スイングステージ１１２の上面は、左右方向を長手方向とし、前後方向に所定の幅を有し、遊技球Ｂが左右方向に転動しながら揺動する玉載せ面１１２ａに形成されている。この玉載せ面１１２ａは、中立状態（図８（ｂ）参照）において、正面視で長手方向中央位置側ほど低くなるように、連続的な曲面状の傾きにより下向き凸の左右対称湾曲形状に形成されている。そして、玉載せ面１１２ａは、長手方向（左右方向）両端部側において、上記したワープ出口から流入する（導入される）遊技球Ｂ１を受け止める受止案内面１１２ｂ，１１２ｂを形成する。また、玉載せ面１１２ａは、長手方向中央部側において、長手方向に沿って往復動を繰り返した後の遊技球Ｂ１が、幅方向（前後方向）の後方側から流出する（排出される）流出案内面１１２ｃを形成する。流出案内面１１２ｃは、遊技球Ｂ１が円滑に流出するように、後方側に向って徐々に（連続的に）低くなるように形成されている。
【００５４】
具体的には、第一回動軸１１３Ｌ，１１３Ｒ周りで各回動アーム１１１Ｌ，１１１Ｒが回動し、第二回動軸１１４Ｌ，１１４Ｒ周りでスイングステージ１１２と各回動アーム１１１Ｌ，１１１Ｒとがそれぞれ相対回動する。これによって、例えば、左右いずれかの受止案内面１１２ｂに導入された遊技球Ｂ１は、長手方向両端部間の玉載せ面１１２ａ上で往復移動した後、徐々にその移動ストロークを小さくしつつ往復動を繰り返し、やがて流出案内面１１２ｃから流出する。
【００５５】
他方、各回動アーム１１１Ｌ，１１１Ｒは、左右方向の中央側に開口する樋状形態を有し、その内面がスイングステージ１１２の受止案内面１１２ｂに遊技球Ｂ１を導入案内するための導入案内面１１１ａに形成されている。このように、上段ステージ１１０を形成する一対の回動アーム１１１Ｌ，１１１Ｒ、スイングステージ１１２、第一回動軸１１３Ｌ，１１３Ｒ、第二回動軸１１４Ｌ，１１４Ｒ等によって、玉載せ面１１２ａ上の遊技球Ｂ１を揺動運動させるための構造が構成されている。
【００５６】
図７に示すように、下段ステージ１２０は上段ステージ１１０の下方に位置している。この下段ステージ１２０は、実施例１のステージ２０（図２参照）と同様に、下方に凸となる弓形湾曲形状に形成されたローリングステージ２１（主体部）と、ローリングステージ２１の下側に形成された左右一対の揺動軸部２２Ｌ，２２Ｒ（揺動支持部）と、ローリングステージ２１の上側中央部に形成された排出通路部２３（排出部）とを備えている。ローリングステージ２１、一対の揺動軸部２２Ｌ，２２Ｒ及び排出通路部２３は合成樹脂等で一体成形され、一対の揺動軸部２２Ｌ，２２Ｒが揺動可能に底枠３ｃに支持されている。
【００５７】
ローリングステージ２１の上面は、スイングステージ１１２の玉載せ面１１２ａとほぼ平行状で、玉載せ面１１２ａよりも後方側へ若干幅広の玉受け面２１ａに形成されている（図８（ａ）参照）。玉載せ面１１２ａ（流出案内面１１２ｃ）から流出する遊技球Ｂ１は、玉受け面２１ａで受け止められ、玉受け面２１ａ上で長手方向に沿って往復動（又は転動）する。また、玉受け面２１ａは、長手方向中央部側において、長手方向に沿って往復動を繰り返した後（又は転動後）の遊技球Ｂ２が、幅方向の前方側から流出する（排出される）排出案内面２３ａを形成する。排出案内面２３ａは、遊技球Ｂ２が円滑に排出されるように、前方側に向って徐々に（連続的に）低くなるように形成されている。
【００５８】
次に、図８は上下段のステージがともに中立の状態を示し、図９は上下段のステージがともに右側へ揺動した状態、図１０は上下段のステージがともに左側へ揺動した状態をそれぞれ示す。図８に示すように、一対の第一軸線Ｏ１，Ｏ１（第一回動軸１１３Ｌ，１１３Ｒ）の左右方向の離間距離をＬ１１とし、一対の第二軸線Ｏ２，Ｏ２（第二回動軸１１４Ｌ，１１４Ｒ）の左右方向の離間距離をＬ１２としたとき、Ｌ１１＞Ｌ１２となるように設定されている。つまり、図８（ｂ）に表わされるように、中立状態にある各々の回動アーム１１１Ｌ，１１１Ｒは、第一軸線Ｏ１（第一回動軸１１３Ｌ又は１１３Ｒ）と第二軸線Ｏ２（第二回動軸１１４Ｌ又は１１４Ｒ）とを結ぶ線分Ｘが逆ハの字形を形成するように左右対称に配置されている。なお、左側回動アーム１１１Ｌと右側回動アーム１１１Ｒとは、第一軸線Ｏ１と第二軸線Ｏ２との間の距離（すなわち回動アーム長さ）がほぼ等しくなるように設定されている。
【００５９】
したがって、図９（右側揺動状態）や図１０（左側揺動状態）に表わされる作動状態では、スイングステージ１１２は、玉載せ面１１２ａ上の遊技球Ｂ１が有する力学的エネルギー（ここでは、運動エネルギー及び位置エネルギーを意味する）に基づき、回動アーム１１１Ｌ，１１１Ｒの第一軸線Ｏ１，Ｏ１（第一回動軸１１３Ｌ，１１３Ｒ）周りでの回動により長手方向（左右方向）及び流下方向（上下方向）への動きが合成された揺動運動を行う。また、玉受け面２１ａ上の遊技球Ｂ２が有する力学的エネルギー（同様に、運動エネルギー及び位置エネルギーを意味する）に基づき、ローリングステージ２１は、一対の揺動軸部２２Ｌ，２２Ｒを交互に揺動中心とする揺動運動を行う。
【００６０】
これによって、例えば図８のように、スイングステージ１１２の左側の受止案内面１１２ｂに導入された遊技球Ｂ１は、右側の端部（図９参照）と左側の端部（図１０参照）との玉載せ面１１２ａ上で往復移動した後、徐々にその移動ストロークを小さくしながら往復動を繰り返す。一方、ローリングステージ２１の右側の玉受け面２１ａに導入された遊技球Ｂ２は、右側の端部（図９参照）と左側の端部（図１０参照）との玉受け面２１ａ上で長手方向に沿って往復移動した後、徐々にその移動ストロークを小さくしながら往復動を繰り返す。
【００６１】
その際、上段ステージ１１０（スイングステージ１１２）と下段ステージ１２０（ローリングステージ２１）とは互いに独立して揺動運動を行う。したがって、例えばこのうちの一方が右側揺動状態で他方が左側揺動状態となる場合や、一方が中立状態で他方が右側揺動状態となる場合等、図８〜図１０以外の作動の組み合わせも発生し得る。このように、作動の組み合わせが多様化することによって、一層興趣を高めることができる。
【００６２】
このようなステージ部３の作動について、下段ステージ１２０（ローリングステージ２１）の作動の様子は、実施例１の図３〜図６と同様である。そこで、ここでは上段ステージ１１０（スイングステージ１１２）の作動の様子を、図１１に示す模式図によりさらに詳しく説明する。図１１では、中立状態を実線で表わし、その中立状態におけるスイングステージ１１２（玉載せ面１１２ａ）を水平線により簡略化して表わしてある。
【００６３】
例えば、図１１（ａ）の中立状態において、左端部側の回動アーム１１１Ｌ（案内導入面１１１ａ）から遊技球Ｂ１が導入されると、その遊技球Ｂ１の接触（運動エネルギー）や自重（位置エネルギー）により上段ステージ１１０のバランスが崩れ、スイングステージ１１２は右端部側への揺動運動を行う。このとき、図１１（ａ）に仮想線で示すように、左側の第二回動軸１１４Ｌ（第二軸線Ｏ２）は、中立位置Ｐよりも高位置Ｐ’に移動する。また、右側の第二回動軸１１４Ｒ（第二軸線Ｏ２）は、中立位置Ｑから、左側の第二回動軸１１４Ｌの移動後の位置Ｐ’よりも低位置Ｑ’に移動する。これによって、スイングステージ１１２の玉載せ面１１２ａの傾きは、移動前（中立状態）の水平状態から移動後（右側揺動状態）の右下傾状態に変化するので、左端部側に流入した遊技球Ｂ１を右端部側に誘導案内しやすくなる。
【００６４】
他方、図１１（ｂ）の中立状態において、右端部側の回動アーム１１１Ｒ（案内導入面１１１ａ）から遊技球Ｂ１が導入されると、その遊技球Ｂ１の接触や自重により上段ステージ１１０のバランスが崩れ、スイングステージ１１２は左端部側への揺動運動を行う。このとき、図１１（ｂ）に仮想線で示すように、右側の第二回動軸１１４Ｒ（第二軸線Ｏ２）は、中立位置Ｑよりも高位置Ｑ”に移動する。また、左側の第二回動軸１１４Ｌ（第二軸線Ｏ２）は、中立位置Ｐから、右側の第二回動軸１１４Ｒの移動後の位置Ｑ”よりも低位置Ｐ”に移動する。これによって、スイングステージ１１２の玉載せ面１１２ａの傾きは、移動前（中立状態）の水平状態から移動後（左側揺動状態）の左下傾状態に変化するので、右端部側に流入した遊技球Ｂ１を左端部側に誘導案内しやすくなる。
【００６５】
このように、スイングステージ１１２は、中立状態で左右対称になるように、一対の回動アーム１１１Ｌ，１１１Ｒによりハンモック状に吊り下げられ、回動アーム１１１Ｌ，１１１Ｒの回動に伴って、玉載せ面１１２ａは揺動先頭側が低くなるように傾けられる。これによって、スイングステージ１１２の左右いずれかの端部側から導入された遊技球Ｂは、玉載せ面１２ａ上で左右方向に沿って円滑に往復動を繰り返すことになる。したがって、スイングステージ１１２の長手方向の長さを短く、かつスイングステージ１１２の揺動範囲を小さく設定した場合でも、遊技球Ｂ１に複雑で予測困難な動きを付与することができる。そして、一対の回動アーム１１１Ｌ，１１１Ｒの回動アーム長さをほぼ等しく設定してあるので、回動角が小さくても玉載せ面１１２ａを揺動先頭側で低くなるように大きくかつ左右均等に傾けることができる。
【００６６】
なお、図１１に示す通り、第二回動軸１１４Ｌ，１１４Ｒ（第二軸線Ｏ２，Ｏ２）が機構学的な死点や思案点とならないように、回動アーム１１１Ｌ，１１１Ｒの回動角が所定値（例えば３０°）を超えない範囲に設定する。回動アーム１１１Ｌ，１１１Ｒの回動角は、スイングステージ１１２や回動アーム１１１Ｌ，１１１Ｒの重量（慣性）と遊技球Ｂ１の重量や流入速度（力学的エネルギー）とに基づき、第一回動軸１１３Ｌ，１１３Ｒ及び第二回動軸１１４Ｌ，１１４Ｒでの摩擦等を勘案して定められる。回動アーム１１１Ｌ，１１１Ｒの回動角を規制（抑制）するために、ステージ部３の支持枠３ｄ，３ｅ（図７参照）にストッパを設置する場合もある。
【００６７】
図８（ｃ）に戻り、スイングステージ１１２の玉載せ面１１２ａは、長手方向全体にわたり、後方側（遊技球Ｂ１の流出側）が前方側よりも低くなるように形成されているので、玉載せ面１１２ａ全面からの遊技球Ｂ１の流出が可能である。さらに、玉載せ面１１２ａは、幅方向（前後方向）に連続的な曲面状の傾きを有し、かつ幅方向中間部が最も低くなるように鍋底状に形成されている。したがって、遊技球Ｂ１は、玉載せ面１１２ａ上で長手方向に沿って往復動を繰り返した後流出案内面１１２ｃから後方側へ流出しやすくなり、受止案内面１１２ｂからいきなり後方側に流出しにくくなる。
【００６８】
図７に示すように、後方枠３ｂの前面側中央部には、下段ステージ１２０（ローリングステージ２１）の排出案内面２３ａの真上に位置して、リング状（めがね構造）の玉通過部３ｇが固定配置されている。この玉通過部３ｇは、流出案内面１１２ｃから流出する遊技球Ｂ１を内部通過させて、排出案内面２３ａへ流下案内する。図８（ａ），図９（ａ），図１０（ａ）に示すように、スイングステージ１１２が揺動運動を行っても、玉通過部３ｇは、スイングステージ１１２の流出案内面１１２ｃ及びローリングステージ２１の排出案内面２３ａと左右方向において常に重なりを生じている。したがって、流出案内面１１２ｃからスイングステージ１１２の後方側に流出し、玉通過部３ｇを通過した遊技球Ｂ１は、排出案内面２３ａからローリングステージ２１の前方側に排出され、玉排出口３ｆを通ってスタートチャッカー１０５に入賞する確率がきわめて高くなる。このように、スイングステージ１１２やローリングステージ２１の揺動運動に伴い、遊技球Ｂ１が玉通過部３ｇを通過する確率や遊技球Ｂ２が玉排出口３ｆを通る確率に変動を生じさせることによって、一層興趣を向上させることができる。
【００６９】
つまり、この実施例では、上段ステージ１１０（スイングステージ１１２）のハンモック的な揺動運動によって、スイングステージ１１２（玉載せ面１１２ａ）上の遊技球Ｂ１が、左右に大きく往復動しつつ下段ステージ１２０側へ流出する。そして、下段ステージ１２０（ローリングステージ２１）の擬似的なシーソー運動によって、ローリングステージ２１（玉受け面２１ａ）上の遊技球Ｂ２が、左右に往復動した後中央部側の排出通路部２３（排出案内面２３ａ）から排出される。このように、上段ステージ１１０では主として遊技球Ｂ１の動きに多様性を付加し、また、下段ステージ１２０では主として遊技球Ｂ２の動きを収束し排出しやすくしてスタートチャッカー１０５への入賞確率を高めることによって、ステージ部３での興趣がさらに高められている。
【００７０】
なお、この実施例では、下段ステージ１２０（ローリングステージ２１）の揺動範囲を規制するためのストッパ３ｋ１，３ｋ２が、上段ステージ１１０（スイングステージ１１２）の揺動範囲を規制する機能を兼備している。すなわち、図９（ｂ）に示すように、スイングステージ１１２が右端部側へ揺動したとき、右側の上方ストッパ３ｋ２にスイングステージ１１２の右側端部下面が接当して停止する。また、図１０（ｂ）に示すように、スイングステージ１１２が左端部側へ揺動したとき、左側の上方ストッパ３ｋ１にスイングステージ１１２の左側端部下面が接当して停止する。
【００７１】
以上の実施例２（図７〜図１１）において、実施例１（図１〜図６）と共通する機能を有する部分には同一符号を付して説明を省略する。
【００７２】
以上の実施例では、上下方向を鉛直方向とし、左右方向を水平方向とする場合について述べたが、上下方向には斜め上下方向を含み、左右方向には斜め左右方向を含む。また、遊技盤１０１（盤面１０１ａ）が鉛直方向に配置される場合のみについて説明したが、鉛直状以外（例えばほぼ水平状）に配置されていてもよい。なお、遊技球誘導構造に係るローリングステージ２１（主体部）において、遊技球Ｂ（又はＢ２）を玉受け面２１ａの両端部側、中央部側のいずれに導入（流入）してもよい。
【図面の簡単な説明】
【００７３】
【図１】本発明に係る遊技球誘導構造を備えたパチンコ機の一例を示す正面図。
【図２】本発明に係る遊技球誘導構造を含むステージ部の一例を示す斜視図。
【図３】図２の平面図、要部正面図及びＡ−Ａ断面図。
【図４】図３からステージが右側へ揺動した状態を示す要部正面図。
【図５】図３からステージが左側へ揺動した状態を示す要部正面図。
【図６】図３〜図５における揺動支持部の詳細構造を示す正面拡大図。
【図７】本発明に係る遊技球誘導構造を含むステージ部の他の例を示す斜視図。
【図８】図７の平面図、要部正面図及びＣ−Ｃ断面図。
【図９】図８から上下段のステージがともに右側へ揺動した状態を示す平面図及び要部正面図。
【図１０】図８から上下段のステージがともに左側へ揺動した状態を示す平面図及び要部正面図。
【図１１】図８〜図１０における上段ステージの揺動運動を模式的に示す説明図。
【符号の説明】
【００７４】
１          中央役物（役物装置）
３          ステージ部
３ｈ１，３ｈ２  突出部
３ｉ１，３ｉ２  溝部
３ｊ１，３ｊ２  長孔（規制部材）
３ｋ１，３ｋ２  ストッパ（規制部材）
２０        ステージ（遊技球誘導構造）
２１        ローリングステージ（主体部）
２１ａ      玉受け面
２１ｂ      案内壁
２２Ｌ，２２Ｒ  揺動軸部（揺動支持部）
２３        排出通路部（排出部）
２３ａ      排出案内面
１００      パチンコ機（遊技機）
１０１      遊技盤
１０１ａ    盤面
ＯＬ        左側揺動軸線
ＯＲ        右側揺動軸線
【図１】
2007117208.tif 000003
【図２】
2007117208.tif 000004
【図３】
2007117208.tif 000005
【図４】
2007117208.tif 000006
【図５】
2007117208.tif 000007
【図６】
2007117208.tif 000008
【図７】
2007117208.tif 000009
【図８】
2007117208.tif 000010
【図９】
2007117208.tif 000011
【図１０】
2007117208.tif 000012
【図１１】
2007117208.tif 000013